(57)【要約】【課題】扉を構成するベース壁部の外壁面の幅方向において、扉係合部材が配置されている高さを含む領域に対し、ラベルの貼付等を行うことが可能な容器を提供すること。【解決手段】容器１は、略矩形状の底壁部１０と、底壁部１０の短辺１４から上方へ延び出す第２短辺側側壁部４０と、第２短辺側側壁部４０の内壁面４２に設けられた開口部４０Ｃを開閉可能に閉鎖する扉５０とを備える。扉５０は、第２短辺側側壁部４０の内壁面４２を区画するベース壁部５２と、ベース壁部５２の外壁面５２Ａに設けられ、開口部４０Ｃが閉じられた状態で第２短辺側側壁部４０に係合する扉係合操作部材９０と、ベース壁部５２の外壁面５２Ａの幅方向Ｄ３において、扉係合操作部材９０が配置されている高さを含む領域にあり、ベース壁部５２の一部を外方に突出させることによって形成される情報表示面８０とを備える。【選択図】図９
2018203358.tif 000002
【特許請求の範囲】
【請求項１】
略矩形状の底壁部と、
前記底壁部の各辺から上方へ延び出す側壁部と、
前記側壁部の少なくとも一面に設けられた開口部を開閉可能に閉鎖する扉とを備える容器であって、
前記扉は、
前記側壁部の内壁面を区画するベース壁部と、
前記ベース壁部の外壁面に設けられ、前記開口部が閉じられた状態で前記側壁部に係合する扉係合部材と、
前記ベース壁部の外壁面の幅方向において、前記扉係合部材が配置されている高さを含む領域にあり、該ベース壁部の一部を外方に突出させることによって形成される情報表示面とを備えることを特徴とする容器。
【請求項２】
前記扉は、
一辺側に設けられ、前記扉を開閉可能に支持する開閉支持部を備え、
前記扉係合部材は、他辺側に設けられることを特徴とする請求項１に記載の容器。
【請求項３】
前記情報表示面の裏面に補強リブ部を備えることを特徴する請求項１又は請求項２に記載の容器。
【請求項４】
前記扉係合部材は、前記情報表示面と前記扉の幅方向で隣り合っていることを特徴とする請求項１乃至請求項３のいずれか一つに記載の容器。
【請求項５】
前記扉係合部材は、前記ベース壁部に沿ってスライド操作されることにより前記側壁部との係合及び係合解除がされ、
前記情報表示面は、
前記扉係合部材のスライド操作が可能に突出部分を切り欠いた切欠部を備えることを特徴とする請求項４に記載の容器。
【請求項６】
前記扉係合部材は、
少なくとも一部が前記切欠部に重なる位置において、前記情報表示面から前記容器の内方に向かって空間を形成する空間形成部を備えたことを特徴とする請求項５に記載の容器。
【発明の詳細な説明】
【技術分野】
【０００１】
本発明は、側壁部の開口部を扉で開閉可能に閉鎖する容器に関するものである。
【背景技術】
【０００２】
従来より、側壁部の開口部を扉で開閉可能に閉鎖する容器に関し、種々の技術が提案されている。
【０００３】
例えば、下記特許文献１には、運搬用容器としての折り畳み式運搬用容器が記載されている。折り畳み式運搬用容器は、長四角板状の底壁と、底壁上に折り畳み可能に構成された各一対の短側壁及び長側壁とからなる容器本体を備えている。長側壁の壁面には、開閉扉により開閉可能に閉鎖された開口部が切欠き形成されている。開閉扉は、その下端部に扉回動手段が設けられており、容器本体の外方に回動される。開閉扉の外側面には上下にスライド可能な扉係合部材が添設されている。扉係合部材の両端部には扉係合突起が突設され、開口部の両側部に凹設された扉係合凹部内に挿入されるとともに扉係合部と係合される。扉係合部材の中央部には扉操作リブが設けられている。扉係合部材は扉付勢手段により常に上方に付勢されている。
【０００４】
折り畳み式運搬用容器では、扉操作リブが下方に押圧されると、扉係合部材が扉付勢手段の付勢力に抗して下方にスライドされる。このスライドに伴って、扉係合突起が下動されると、扉係合突起と長側壁の扉係合部との係合状態が解除されるので、開閉扉が容器本体の外方に回動可能な状態になる。次いで、開閉扉が容器本体の外方に回動されると、長側壁の開口部が開口状態になる。
【先行技術文献】
【特許文献】
【０００５】
【特許文献１】特開２００４−１６８３９７号公報
【発明の概要】
【発明が解決しようとする課題】
【０００６】
しかしながら、開閉扉では、その幅方向全体に渡って扉係合部材（及び扉操作リブ）が設けられているので、扉係合部材が配設されている側の領域において、ラベル貼付面を設けることができず、ラベル等を貼りたいというニーズに応えることが困難であった。
【０００７】
そこで、本発明は、上述した点を鑑みてなされたものであり、扉を構成するベース壁部の外壁面の幅方向において、扉係合部材が配置されている高さを含む領域に対し、ラベルの貼付等を行うことが可能な容器を提供することを課題とする。
【課題を解決するための手段】
【０００８】
この課題を解決するためになされた請求項１に係る発明は、略矩形状の底壁部と、底壁部の各辺から上方へ延び出す側壁部と、側壁部の少なくとも一面に設けられた開口部を開閉可能に閉鎖する扉とを備える容器であって、扉は、側壁部の内壁面を区画するベース壁部と、ベース壁部の外壁面に設けられ、開口部が閉じられた状態で側壁部に係合する扉係合部材と、ベース壁部の外壁面の幅方向において、扉係合部材が配置されている高さを含む領域にあり、ベース壁部の一部を外方に突出させることによって形成される情報表示面とを備えることを特徴とする。
【０００９】
情報表示面とは、例えば、ラベルの貼付、印刷、刻印、又は筆記等が行われることによって、容器に関する情報が表示される面をいう。
【００１０】
請求項２に係る発明は、請求項１に記載の容器であって、扉は、一辺側に設けられ、扉を開閉可能に支持する開閉支持部を備え、扉係合部材は、他辺側に設けられることを特徴とする。
【００１１】
請求項３に係る発明は、請求項１又は請求項２に記載の容器であって、情報表示面の裏面に補強リブ部を備えることを特徴する。
【００１２】
請求項４に係る発明は、請求項１乃至請求項３のいずれか一つに記載の容器であって、扉係合部材は、情報表示面と扉の幅方向で隣り合っていることを特徴とする。
【００１３】
請求項５に係る発明は、請求項４に記載の容器であって、扉係合部材は、ベース壁部に沿ってスライド操作されることにより側壁部との係合及び係合解除がされ、情報表示面は、扉係合部材のスライド操作が可能に突出部分を切り欠いた切欠部を備えることを特徴とする。
【００１４】
請求項６に係る発明は、請求項５に記載の容器であって、扉係合部材は、少なくとも一部が切欠部に重なる位置において、情報表示面から容器の内方に向かって空間を形成する空間形成部を備えたことを特徴とする。
【００１５】
空間形成部とは、例えば、貫通孔又は窪み等によって形成される空間部をいう。
【発明の効果】
【００１６】
請求項１に係る発明の容器では、底壁部の各辺から上方へ延び出す側壁部の少なくとも一面において、扉が開口部を開閉可能に閉鎖する。扉は、側壁部の内壁面を区画するベース壁部を備えており、ベース壁部の外壁面において、扉係合部材と情報表示面とを設けている。扉係合部材は、側壁部に係合されることによって、扉で開口部を閉じた状態にする。
【００１７】
情報表示面は、ベース壁部の外壁面の幅方向において、扉係合部材が配置されている高さを含む領域にある。更に、情報表示面は、ベース壁部の一部を外方へ突出させることによって形成されており、ベース壁部の外壁面から外方に配設されている。そのため、情報表示面では、ラベル等が見易い状態で貼付される。
【００１８】
よって、請求項１に係る発明の容器は、扉を構成するベース壁部の外壁面の幅方向において、扉係合部材が配置されている高さを含む領域に対し、ラベルの貼付等を行うことが可能である。
【００１９】
請求項２に係る発明の容器では、扉の一辺側には扉を開閉可能に支持する開閉支持部が設けられ、扉の他辺側には扉係合部材が設けられていることから、扉の他辺側において、扉係合部材が配置されている高さを含む領域に対し、ラベルの貼付等を行うことが可能である。
【００２０】
請求項３に係る発明の容器では、情報表示面の裏面に設けられた補強リブ部によって、情報表示面が補強される。従って、請求項３に係る発明の容器は、情報表示面の強度、ひいては扉の強度を高めることが可能である。更に、請求項３に係る発明の容器では、開口部が開いた状態になっても、扉に設けられた情報表示面の裏面が外方を向くことで、作業者の指等が補強リブ部に掛け易くなり、持ち上げや持ち運び等の作業が容易である。
【００２１】
請求項４に係る発明の容器では、扉係合部材と情報表示面とが扉の幅方向で隣り合っていることから、情報表示面に収まった状態でラベル等が貼付されていると、ラベル等で扉係合部材の操作が妨げられない。
【００２２】
請求項５に係る発明の容器では、扉係合部材がベース壁部に沿ってスライド操作されることによって、扉係合部材と側壁部との係合及び係合解除がなされる。扉係合部材のスライド操作は、情報表示面である突出部分が切り欠かれた切欠部によって可能とされる。従って、扉の幅方向において、扉係合部材のスライド操作を情報表示面と重ねて行うことが可能である。そのため、扉係合部材の操作性が向上する。
【００２３】
更に、請求項５に係る発明の容器では、情報表示面に貼付されたラベル等で切欠部が覆われた場合には、切欠部を利用することによって、情報表示面からラベル等を容易に剥がすことが可能である。
【００２４】
請求項６に係る発明の容器では、扉係合部材は、少なくとも一部が切欠部に重なる位置において、情報表示面から容器の内方に向かって空間を形成する空間形成部を備えている。そのため、情報表示面に貼付されたラベル等で切欠部が覆われた場合には、ラベルの外側（つまり、切欠部の外側）から空間形成部を介して切欠部に作業者が指等を挿入させると、情報表示面からラベル等を一層容易に剥がすことが可能である。
【図面の簡単な説明】
【００２５】
【図１】本発明の実施形態の容器が表された斜視図である。
【図２】同容器が図１の紙面奥側から表された斜視図である。
【図３】同容器が上下逆さまの状態で表された斜視図である。
【図４】同容器の分解斜視図である。
【図５】同容器が折り畳まれた状態で表された斜視図である。
【図６】同容器の第２短辺側側壁部と扉とが取り外された状態で表された斜視図であって、扉のベース壁部の外壁面側から表された図である。
【図７】同容器の第２短辺側側壁部と扉とが取り外された状態で表された斜視図であって、第２短辺側側壁部の内壁面側から表された図である。
【図８】同容器が表された斜視図であって、第２短辺側側壁部の開口部が開放された状態で表された図である。
【図９】第２短辺側側壁部の開口部が扉で閉鎖された状態にある、同容器が表された正面図であって、扉のベース壁部の外壁面側から表された図である。
【図１０】同容器の第２短辺側側壁部と扉とを図７の線Ａ−Ａで切断した断面が表された斜視図であって、第２短辺側側壁部の開口部が扉で閉鎖された状態で表された図である。
【図１１】同容器の第１変更例が表された正面図である。
【図１２】同容器の第２変更例が表された正面図である。
【発明を実施するための形態】
【００２６】
以下、本発明に係る容器について、具体化した本実施形態に基づき、図面を参照しつつ説明する。
【００２７】
（１）容器の概要
図１乃至図５に表されたように、本実施形態の容器１は、底壁部１０、長辺側側壁部２０，２０、短辺側側壁部３０，４０、及び扉５０等を備えている。底壁部１０、長辺側側壁部２０，２０、短辺側側壁部３０，４０、及び扉５０等は、ポリプロピレン等の樹脂を材料として金型成形されたものである。
【００２８】
尚、図１乃至図５において、符号Ｄ１の方向は、上下方向（つまり、扉５０の高さ方向）を示している。符号Ｄ２の方向は、長辺側側壁部２０，２０の幅方向を示している。符号Ｄ３の方向は、短辺側側壁部３０，４０の幅方向（つまり、扉５０の幅方向）を示している。各方向Ｄ１，Ｄ２，Ｄ３は、互いに直交する関係にある。これらの点は、後述する図６乃至図１２においても、同様である。
【００２９】
図４に表されたように、底壁部１０は、略長方形状をなし、相対する一対の長辺１２と、相対する一対の短辺１４とを有している。底壁部１０の各長辺１２上には、複数の長辺側軸受部１０Ａが設けられている。底壁部１０の各短辺１４上には、複数の短辺側軸受部１０Ｂが設けられている。
【００３０】
各長辺側側壁部２０は、略長方形状をなしている。各長辺側側壁部２０では、その下辺において、複数のヒンジ部２０Ａが設けられている。各長辺側側壁部２０では、その幅方向Ｄ２の両側辺において、複数の係合突部２０Ｂが設けられている。各長辺側側壁部２０では、その外壁面において、係合操作部材２２が設けられている。係合操作部材２２では、長辺側側壁部２０の幅方向Ｄ２の両端において、係合突部２２Ａが設けられている。
【００３１】
尚、各長辺側側壁部２０は、同一の部材である。これに対して、短辺側側壁部３０，４０は、それらの輪郭が略長方形状で同じであるが、扉５０の有無等の相違点がある。そのため、以下では、短辺側側壁部３０，４０については、第１短辺側側壁部３０と第２短辺側側壁部４０とに書き分けて説明する。
【００３２】
第１短辺側側壁部３０の下辺には、複数のヒンジ部３０Ａが設けられている。第１短辺側側壁部３０では、その幅方向Ｄ３の両側辺において、複数の係合孔部３０Ｂ及び係合凹部３２が設けられている。
【００３３】
第２短辺側側壁部４０は、上述したように、扉５０を有するものである。第２短辺側側壁部４０の下辺には、複数のヒンジ部４０Ａが設けられている。第２短辺側側壁部４０では、その幅方向Ｄ３の両側辺において、複数の係合孔部４０Ｂが設けられている。更に、第２短辺側側壁部４０では、その幅方向Ｄ３の両側辺において、後述する図７に表されたように、係合凹部４９が設けられている。
【００３４】
底壁部１０の各長辺側軸受部１０Ａには、長辺側側壁部２０の各ヒンジ部２０Ａの軸部が軸装される。これによって、底壁部１０の各長辺１２からは、各長辺側側壁部２０が上方向へそれぞれ延出した状態になる。底壁部１０の各短辺側軸受部１０Ｂには、第１短辺側側壁部３０の各ヒンジ部３０Ａの軸部と第２短辺側側壁部４０の各ヒンジ部４０Ａの軸部とが軸装される。これによって、底壁部１０の各短辺１４からは、第１短辺側側壁部３０と第２短辺側側壁部４０とが上方向へそれぞれ延出した状態になる。
【００３５】
更に、第１短辺側側壁部３０の各係合孔部３０Ｂと第２短辺側側壁部４０の各係合孔部４０Ｂには、長辺側側壁部２０の各係合突部２０Ｂが嵌装される。第１短辺側側壁部３０の各係合凹部３２と第２短辺側側壁部４０の各係合凹部４９には、長辺側側壁部２０の係合操作部材２２の各係合突部２２Ａが嵌装される。これらによって、底壁部１０の上方には、各長辺側側壁部２０の上端部、第１短辺側側壁部３０の上端部、及び第２短辺側側壁部４０（と扉５０）の上端部によって、開口面が形成されている。
【００３６】
このようにして、本実施形態の容器１は、底壁部１０、各長辺側側壁部２０、第１短辺側側壁部３０、及び第２短辺側側壁部４０が組み付けられることによって、図１乃至図３に表されたように、一面が開口された直方体状になる。但し、各長辺側側壁部２０、第１短辺側側壁部３０、及び第２短辺側側壁部４０については、相互の組み付けが解除されると、底壁部１０に対する回動によって、図５に表されたように、底壁部１０に積み重ねられる。つまり、本実施形態の容器１は、いわゆる折畳み容器である。
【００３７】
（２）扉の開閉
扉５０は、図６乃至図１０に表されたように、第２短辺側側壁部４０に取り付けられ、第２短辺側側壁部４０の内壁面４２を区画するベース壁部５２等で構成されている。従って、扉５０の幅方向Ｄ３は、ベース壁部５２の幅方向でもある。
【００３８】
第２短辺側側壁部４０は、上記の内壁面４２に加えて、開口部４０Ｃ、軸ピン保持溝４０Ｄ、側壁位置決め凹部４４、側壁位置決め突部４６、及び側壁係合部４８等を有している。開口部４０Ｃは、その上方が開放された略長方形の形状であり、第２短辺側側壁部４０の上辺から下方に渡って形成されている。軸ピン保持溝４０Ｄについては、後述する。
【００３９】
側壁位置決め凹部４４は、開口部４０Ｃの下辺に相当する第２短辺側側壁部４０の端面において、複数設けられている。側壁位置決め突部４６は、開口部４０Ｃの両側辺に相当する第２短辺側側壁部４０幅方向Ｄ３の両内端面において、複数設けられている。その両内端面において、各側壁位置決め突部４６の間には、側壁係合部４８が設けられている。
【００４０】
扉５０は、上記のベース壁部５２に加えて、扉位置決め突部５４及び扉位置決め凹部５６等を有している。扉位置決め突部５４は、ベース壁部５２の下端面において、複数設けられている。扉位置決め凹部５６は、ベース壁部５２の幅方向Ｄ３の両側端部において、複数設けられている。
【００４１】
更に、第２短辺側側壁部４０では、開口部４０Ｃの下辺に相当する端面において、第１軸受部６０と複数の第２軸受部６２とが設けられている。第２短辺側側壁部４０では、その幅方向Ｄ３における各第２軸受部６２の外方側において、軸ピン保持溝４０Ｄが第２軸受部６２と隣接して形成されている。これに対して、扉５０では、ベース壁部５２の下端面において、ヒンジ部７０と複数の軸受部７２とが設けられている。
【００４２】
第２短辺側側壁部４０の第１軸受部６０には、扉５０のヒンジ部７０の軸部が軸装される。第２短辺側側壁部４０の各第２軸受部６２には、扉５０の各軸受部７２が嵌装される。これによって、第２短辺側側壁部４０の各第２軸受部６２の軸孔と扉５０の各軸受部７２の軸孔は、連通した状態になり、不図示の軸ピンが軸装される。
【００４３】
軸ピンの軸装には、第２短辺側側壁部４０の軸ピン保持溝４０Ｄが利用される。具体的には、第２短辺側側壁部４０において、軸ピン保持溝４０Ｄに仮置させた軸ピンを、例えば、自動組立機等によって、第２軸受部６２の側に押進させる。これによって、軸ピンは、第２短辺側側壁部４０の軸ピン保持溝４０Ｄに案内されながら、第２短辺側側壁部４０の各第２軸受部６２の軸孔及び扉５０の各軸受部７２の軸孔に装入される。
【００４４】
このようにして、扉５０は、第２短辺側側壁部４０に回動可能に組み付けられる。従って、図８に表されたように、本実施形態の容器１では、各長辺側側壁部２０の幅方向Ｄ２において、扉５０が第１短辺側側壁部３０の反対側である外方（つまり、容器１の外方）へ向かって回動すると、第２短辺側側壁部４０の開口部４０Ｃが開放された状態になる。そのような状態において、扉５０が逆方向に回動すると、図９及び図１０に表されたように、扉５０によって第２短辺側側壁部４０の開口部４０Ｃが閉鎖された状態になる。
【００４５】
第２短辺側側壁部４０の開口部４０Ｃが閉鎖された状態になると、第２短辺側側壁部４０の各側壁位置決め凹部４４には、扉５０の各扉位置決め突部５４が嵌装される。更に、第２短辺側側壁部４０の各側壁位置決め突部４６が、扉５０の各扉位置決め凹部５６に嵌装される。これらによって、第２短辺側側壁部４０の開口部４０Ｃに対して、扉５０の位置決めがなされる。
【００４６】
（３）情報表示面と扉係合操作部材
扉５０には、図６乃至図１０に表されたように、ベース壁部５２の外壁面５２Ａ上において、突出部５８が形作られている。突出部５８は、ベース壁部５２の上側中央部が突出したものであって、扉５０の幅方向Ｄ３とは直交する方向Ｄ２において、外壁面５２Ａの側である外方（つまり、容器１の外方）へ向かって突出している。突出部５８の外面は、扉５０の高さ方向Ｄ１及び扉５０の幅方向Ｄ３に平行な面であって、情報表示面８０を形成している。情報表示面８０は、扉５０の幅方向Ｄ３とは直交する方向Ｄ２において、外壁面５２Ａよりも外方（つまり、容器１の外方）に位置している。
【００４７】
情報表示面８０では、ラベルの貼付、印刷、刻印、又は筆記等が行われる。これらによって、情報表示面８０においては、容器１に関する情報（例えば、容器１の所有者名、容器１の収容物の名称等）を表示することが可能である。
【００４８】
情報表示面８０の裏面においては、突出部５８が形作られたことに伴って、内面側凹部８４が形成されている。内面側凹部８４には、複数の縦リブ部８６と複数の横リブ部８８とが設けられている。各縦リブ部８６は、扉５０の高さ方向Ｄ１に平行に設けられている。各横リブ部８８は、扉５０の幅方向Ｄ３に平行に設けられている。各縦リブ部８６と各横リブ部８８は、内面側凹部８４内で直交することによって、内面側凹部８４内を区画している。内面側凹部８４内に形成された全ての区画域のうち、扉５０の上端面に隣接する各区画域は、他の区画域よりも狭い。このようにして、扉５０の上端面の強度、ひいては、扉５０で開口部４０Ｃが閉鎖された際の容器１の上端部の強度が高められている。
【００４９】
更に、扉５０のベース壁部５２の外壁面５２Ａ上では、扉５０の幅方向Ｄ３における情報表示面８０の両外方側において、相対する一対の扉係合操作部材９０，９０が情報表示面８０と隣り合った状態で設けられている。各扉係合操作部材９０は、ベース壁部５２の外壁面５２Ａ上に設けられたリブ部の間に介装されることによって、扉５０の幅方向Ｄ３でスライド移動することが可能にされている。各扉係合操作部材９０は、操作部９２、指挿入空間部９４、付勢部材９６、及び扉係合部９８を有している。
【００５０】
操作部９２は、扉係合操作部材９０において、情報表示面８０の側に設けられた外周リブであって、扉５０の幅方向Ｄ３とは直交する方向Ｄ２において、扉係合操作部材９０よりも外方（つまり、容器１の外方）に突き出したものである。指挿入空間部９４は、操作部９２内において、扉係合操作部材９０が貫通された孔である。
【００５１】
付勢部材９６は、扉係合操作部材９０において、情報表示面８０の反対側に設けられた板状のバネである。付勢部材９６は、扉５０の幅方向Ｄ３において、情報表示面８０の反対側である外方（つまり、容器１の外方）へ向けて、扉係合操作部材９０を付勢している。扉係合部９８は、扉５０の幅方向Ｄ３において、情報表示面８０の反対側にある扉係合操作部材９０の端部に設けられた突部であり、ベース壁部５２の端面を貫通している。更に、扉係合部９８は、付勢部材９６が扉係合操作部材９０で付勢されることによって、ベース壁部５２の端面から第２短辺側側壁部４０側へ突出している。
【００５２】
そのため、第２短辺側側壁部４０の開口部４０Ｃが扉５０で閉鎖されている場合には、図１０の紙面右側に表された扉係合操作部材９０のように、扉係合操作部材９０の扉係合部９８が、付勢部材９６の付勢力によって、第２短辺側側壁部４０の側壁係合部４８に嵌装される。これによって、扉係合操作部材９０と第２短辺側側壁部４０とが係合され、扉５０の状態（つまり、第２短辺側側壁部４０の開口部４０Ｃが閉鎖された状態）がロックされる。
【００５３】
これに対して、扉係合操作部材９０が付勢部材９６の付勢力に抗して情報表示面８０の側にスライド移動すると、図１０の紙面左側に表された扉係合操作部材９０のように、扉係合操作部材９０の扉係合部９８が、第２短辺側側壁部４０の側壁係合部４８から外れて、扉係合操作部材９０と第２短辺側側壁部４０との係合が解除された状態になる。このような状態では、扉５０の幅方向Ｄ３とは直交する方向Ｄ２において、ベース壁部５２の外壁面５２Ａの側である外方（つまり、容器１の外方）へ向かって、扉５０を回動させることによって、第２短辺側側壁部４０の開口部４０Ｃを開放した状態に移行させることが可能である。
【００５４】
上述した構成によって、扉係合操作部材９０は、ベース壁部５２に沿ってスライド操作されることによって、扉係合操作部材９０と第２短辺側側壁部４０との係合及び係合解除がなされる。扉５０では、その下辺側５２Ｂにおいて、扉５０を開閉可能に支持するヒンジ部７０及び軸受部７２が設けられており、扉５０の上辺側５２Ｃにおいて、各扉係合操作部材９０が設けられている。更に、扉５０では、ベース壁部５２の外壁面５２Ａの幅方向Ｄ３において、各扉係合操作部材９０が配置されている高さを含む領域に渡って、つまり、各扉係合操作部材９０から扉５０の幅方向Ｄ３へ展開する領域に渡って、情報表示面８０が設けられている。
【００５５】
（４）まとめ
以上詳細に説明した通り、本実施形態の容器１では、底壁部１０の短辺１４から上方へ延び出す第２短辺側側壁部４０の内壁面４２において、扉５０が開口部４０Ｃを開閉可能に閉鎖している。扉５０は、第２短辺側側壁部４０の内壁面４２を区画するベース壁部５２を備えており、ベース壁部５２の外壁面５２Ａにおいて、扉係合操作部材９０と情報表示面８０とを設けている。扉係合操作部材９０は、第２短辺側側壁部４０に係合されることによって、扉５０で開口部４０Ｃを閉じた状態にする。
【００５６】
情報表示面８０は、ベース壁部５２の外壁面５２Ａの幅方向Ｄ３において、扉係合操作部材９０が配置されている高さを含む領域にある。更に、情報表示面８０は、扉５０の幅方向Ｄ３とは直交する方向Ｄ２において、外壁面５２Ａの側である外方（つまり、容器１の外方）へ向かって、ベース壁部５２の上側中央部を突出させることによって形成されている。従って、情報表示面８０は、ベース壁部５２の外壁面５２Ａよりも外方（つまり、容器１の外方）に位置している。そのため、情報表示面８０では、ラベル等が見易い状態で貼付される。
【００５７】
よって、本実施形態の容器１は、扉５０を構成するベース壁部５２の外壁面５２Ａの幅方向Ｄ３において、扉係合操作部材９０が配置されている高さを含む領域に対し、ラベルの貼付等を行うことが可能である。
【００５８】
本実施形態の容器１では、扉５０の下辺側５２Ｂには扉５０を開閉可能に支持するヒンジ部７０及び軸受部７２が設けられ、扉５０の上辺側５２Ｃには扉係合操作部材９０が設けられていることから、扉５０の上辺側５２Ｃにおいて、扉係合操作部材９０が配置されている高さを含む領域に対し、ラベルの貼付等を行うことが可能である。
【００５９】
本実施形態の容器１では、情報表示面８０の裏面８２に設けられた縦リブ部８６及び横リブ部８８によって、情報表示面８０が補強される。更に、本実施形態の容器１では、開口部４０Ｃが開いた状態になっても、扉５０に設けられた情報表示面８０の裏面８２が、各長辺側側壁部２０の幅方向Ｄ２において、第１短辺側側壁部３０の反対側である外方（つまり、容器１の外方）を向く。これによって、作業者の指等が横リブ部８８に掛け易くなるので、持ち上げや持ち運び等の作業が容易である。
【００６０】
本実施形態の容器１では、扉５０の高さ方向Ｄ１に設けられた縦リブ部８６と、扉５０の幅方向Ｄ３に設けられた横リブ部８８とを、情報表示面８０の裏面８２に設けていることから、情報表示面８０の強度、ひいては扉５０の強度を高めている。
【００６１】
本実施形態の容器１では、扉係合操作部材９０と情報表示面８０とが扉５０の幅方向Ｄ３で隣り合っていることから、情報表示面８０に収まった状態でラベル等が貼付されていれば、ラベル等で扉係合操作部材９０のスライド操作が妨げられない。
【００６２】
ちなみに、本実施形態において、短辺１４は、「各辺」の一例である。第２短辺側側壁部４０は、「側壁部」の一例である。内壁面４２は、「一面」の一例である。下辺側５２Ｂは、「一辺側」の一例である。上辺側５２Ｃは、「他辺側」の一例である。突出部５８は、「突出部分」の一例である。ヒンジ部７０及び軸受部７２は、「開閉支持部」の一例である。縦リブ部８６及び横リブ部８８は、「補強リブ部」の一例である。扉係合操作部材９０は、「扉係合部材」の一例である。指挿入空間部９４は、「空間形成部」の一例である。
【００６３】
（５）変更例
尚、本発明は上記実施形態に限定されるものでなく、その趣旨を逸脱しない範囲で様々な変更が可能である。
【００６４】
（５−１）第１変更例
例えば、図１１に表された容器１０１のように、情報表示面８０（つまり、突出部５８）に一対の切欠部１０３を形成してもよい。以下、そのような変更例について説明する。但し、以下の説明では、上記実施形態と実質的に共通する部分には同一の符号を付し、詳しい説明を省略する。
【００６５】
各切欠部１０３は、情報表示面８０（つまり、突出部５８）において、扉５０の幅方向Ｄ３で各扉係合操作部材９０に隣接する箇所に設けられている。各切欠部１０３には、各扉係合操作部材９０のスライド操作に関係なく、各扉係合操作部材９０の操作部１９２及び指挿入空間部１９４の一部が存在する。そのため、操作部１９２及び指挿入空間部１９４は、上記実施形態と比べ、扉５０の幅方向Ｄ３で長くなっている。
【００６６】
そのような構成の容器１０１では、各扉係合操作部材９０のスライド操作は、情報表示面８０（つまり、突出部５８）が切り欠かれた切欠部１０３によって可能とされる。従って、扉５０の幅方向Ｄ３において、各扉係合操作部材９０のスライド操作を情報表示面８０と重ねて行うことが可能である。そのため、扉係合操作部材９０の操作性が向上する。
【００６７】
また、各切欠部１０３が情報表示面８０の中央付近にまで設けられると、一対の扉係合操作部材９０の操作部１９２及び指挿入空間部１９４が近接する。そのため、作業者は、一対の扉係合操作部材９０の操作部１９２及び指挿入空間部１９４を片手で扱えるので、扉係合操作部材９０の操作性が向上する。
【００６８】
更に、情報表示面８０に貼付されたラベル等によって各切欠部１０３が覆われた場合には、各切欠部１０３を利用することによって、情報表示面８０からラベル等を容易に剥がすことが可能である。
【００６９】
具体的に説明すると、各扉係合操作部材９０は、情報表示面８０から容器１の内方に向かって空間が形成された指挿入空間部１９４を備えている。各指挿入空間部１９４の一部は、各扉係合操作部材９０のスライド操作に関係なく、各切欠部１０３内に含まれている。従って、情報表示面８０に貼付されたラベル等で各切欠部１０３が覆われた場合には、ラベル等の外側（つまり、各切欠部１０３の外側）から各指挿入空間部１９４を介して各切欠部１０３内に、作業者が指等を挿入させる。これによって、情報表示面８０からラベル等を一層容易に剥がすことが可能である。
【００７０】
（５−２）第２変更例
あるいは、図１２に表された容器２０１のように、上下方向Ｄ１にスライド操作される扉係合操作部材２９０を備えてもよい。以下、そのような変更例について説明する。但し、以下の説明では、上記実施形態と実質的に共通する部分には同一の符号を付し、詳しい説明を省略する。
【００７１】
扉係合操作部材２９０は、扉５０の幅方向Ｄ３に沿って、情報表示面８０（の突出部５８）を貫通しており、情報表示面８０（の突出部５８）内で上下方向Ｄ１に移動可能にされている。扉係合操作部材２９０は、付勢部材２９６の付勢力によって、扉５０の上方向に付勢されている。扉係合操作部材２９０は、扉５０の幅方向Ｄ３の中央において、操作部２９２が設けられている。操作部２９２は、扉５０の幅方向Ｄ３とは直交する方向Ｄ２（つまり、図１２の紙面の垂直方向）において、扉係合操作部材２９０よりも外方（つまり、容器２０１の外方）に突き出した外周リブである。操作部２９２内では、扉係合操作部材２９０に指挿入空間部２９４が凹設されている。
【００７２】
一方、情報表示面８０（の突出部５８）には、扉５０の幅方向Ｄ３の中央において、開口部２８０Ａが貫設されている。開口部２８０Ａには、扉係合操作部材２９０の操作部２９２及び指挿入空間部２９４が配設されている。開口部２８０Ａでは、扉係合操作部材２９０の操作部２９２及び指挿入空間部２９４の上方又は下方において、第１短辺側側壁部３０の一部を見ることができる。
【００７３】
従って、情報表示面８０（の突出部５８）の開口部２８０Ａを介して、扉係合操作部材２９０の操作部２９２及び指挿入空間部２９４に作業者が指を掛けて、扉係合操作部材２９０を付勢部材２９６の付勢力に抗して下方にスライド移動させると、扉係合操作部材９０と第２短辺側側壁部４０との係合解除がなされる。これに対して、扉係合操作部材２９０の操作部２９２及び指挿入空間部２９４から作業者が指を離すと、扉係合操作部材２９０が付勢部材２９６の付勢力によって上方にスライド移動するので、扉係合操作部材９０と第２短辺側側壁部４０との係合がなされ、その係合がロックされる。
【００７４】
尚、扉係合操作部材２９０の操作部２９２は、扉５０の幅方向Ｄ３とは直交する方向Ｄ２（つまり、図１２の紙面の垂直方向）において、扉係合操作部材２９０よりも内方（つまり、図１２の紙面の奥側）に突き出せてもよい。そのような場合には、扉係合操作部材２９０の操作部２９２及び指挿入空間部２９４は、情報表示面８０の裏面にある内面側凹部８４内に存在するので、第２短辺側側壁部４０の内壁面４２の側から作業者の指を掛けることが可能である。従って、開口部２８０Ａを省くことが可能である。但し、内面側凹部８４の縦リブ部８６又は横リブ部８８の一部については、省く必要がある。
【００７５】
（５−３）その他
情報表示面８０は、扉係合操作部材９０，２９０及び操作部９２，１９２，２９２と比べて、より一層に突出させてもよい。そのような場合では、情報表示面８０に対して貼付されたラベル等は、より一層に見易い状態である。
【００７６】
本実施形態の容器１は、いわゆる折畳み容器であったが、折り畳みが不可能な容器であってもよい。
【００７７】
扉５０は、ヒンジ部７０及び軸受部７２等によって、第２短辺側側壁部４０に開閉可能に支持されているが、スライド又は着脱等で開閉可能に支持されてもよい。そのような扉５０の開閉支持部は、本実施形態のように、扉５０の下辺側５２Ｂに設けられてもよいが、扉５０の両側辺側のうち、一方の側辺側に設けられてもよい。但し、扉５０の一方の側辺側に開閉支持部が設けられた場合には、扉５０の他方の側辺側に扉係合操作部材９０が設けられる。
【００７８】
指挿入空間部９４，１９４は、扉係合操作部材９０を貫通した孔であったが、扉係合操作部材９０を凹設した窪み等であってもよい。これに対して、指挿入空間部２９４は、扉係合操作部材２９０を凹設した窪みであったが、扉係合操作部材９０を貫通した孔等であってもよい。
【００７９】
扉５０は、第２短辺側側壁部４０に設けられているが、長辺側側壁部２０に設けられてもよいし、第１短辺側側壁部３０に設けられてもよい。つまり、扉５０は、各長辺側側壁部２０、第１短辺側側壁部３０、及び第２短辺側側壁部４０のうち、少なくとも一つの側壁部に設けられていればよい。
【符号の説明】
【００８０】
１，１０１，２０１    容器
１０    底壁部
１４    短辺
４０    第２短辺側側壁部
４０Ｃ  開口部
４２    内壁面
５０    扉
５２    ベース壁部
５２Ａ  外壁面
５２Ｂ  下辺側
５２Ｃ  上辺側
５８    突出部
７０    ヒンジ部
７２    軸受部
８０    情報表示面
８２    裏面
８６    縦リブ部
８８    横リブ部
９０，２９０  扉係合操作部材
９４，１９４，２９４    指挿入空間部
１０３    切欠部
Ｄ１      扉の高さ方向
Ｄ３      扉（のベース壁部の外壁面）の幅方向
【図１】
2018203358.tif 000003
【図２】
2018203358.tif 000004
【図３】
2018203358.tif 000005
【図４】
2018203358.tif 000006
【図５】
2018203358.tif 000007
【図６】
2018203358.tif 000008
【図７】
2018203358.tif 000009
【図８】
2018203358.tif 000010
【図９】
2018203358.tif 000011
【図１０】
2018203358.tif 000012
【図１１】
2018203358.tif 000013
【図１２】
2018203358.tif 000014